(57)【特許請求の範囲】
【請求項１】
加熱室の前面開口部を開閉するドアと、前記ドアに設けられた少なくとも１つ以上の操作ピンと、前記ドア及び前記ドアの操作ピンにより操作される第１のレバーと第２のレバーと、前記第１のレバーのスイッチ操作部を介して操作される第１のスイッチと、前記第２のレバーのスイッチ操作部を介して操作される第２のスイッチと、前記第１のスイッチと、前記第２のスイッチを装着するスイッチ取付部を有するスイッチ取付板とを備え、前記第１のレバーと前記第２のレバーとは前記スイッチ取付板の表裏に設けられた回転軸に軸支し、前記第１のスイッチおよび前記第２のスイッチは前記スイッチ取付板の一方の側のみに装着し、前記スイッチ取付板に設けられた貫通孔を貫通した前記第１のレバーのスイッチ操作部にて前記スイッチ取付板の一方の側のみに装着した前記第１のスイッチが動作される構成とした高周波加熱装置。
【発明の詳細な説明】
【０００１】
【発明の属する技術分野】
本発明は、高周波加熱装置の発振停止機構に関する。
【０００２】
【従来の技術】
従来の縦開きドアの高周波加熱装置に使用されている発振停止装置は図３（ａ）に示すように、スイッチ取付板４１の回転軸ｃ４２を支点に回動するラッチレバー４３が軸支され、このラッチレバー４３により動作されるラッチスイッチ４４とショートスイッチ４５がスイッチ取付板４１に形成された複数の爪４６により固定されている。ラッチレバー４３の上部にはドア４の開閉を伝えるための突起ｃ４７があり、下部にはラッチスイッチ４４を動作するための操作部ｄ４８とショートスイッチ４５を動作する操作部ｅ４９がある。ドア４（図２参照）を開いた時ラッチレバー４３を介してラッチスイッチ４４とショートスイッチ４５の動作を解除するように加勢した復帰バネｃ５０が設けてある。一方スイッチ取付板４１の向かって左側の面図３（ｃ）には回転軸ｄ５１を支点に回動するドアレバー５４が軸支され、ドアスイッチ５４がスイッチ取付板４１に形成された爪４６により固定されている。ドアレバー５２の上部にはドア４の開閉を伝えるための突起部ｄ５３があり、下部にはドアスイッチ５４を動作するための操作部ｆ５５がある。ドア４を開いた時ドアレバー５２を介してドアスイッチ５４の動作を解除するように加勢した復帰バネｄ５６が設けてある。
【０００３】
このようにラッチレバー４３の回転軸ｃ４２とラッチスイッチ４４の操作部ｄ４８とショートスイッチ４５の操作部ｅ４９はスイッチ取付板４１のスイッチが装着された同一面上にあり、又ドアレバー５２の回転軸ｄ５１とドアスイッチ５４の操作部ｆ５５もスイッチ取付板４１のスイッチが装着された同一面上にあり、ラッチスイッチ４４とドアスイッチ５４はスイッチ取付板４１に表裏の関係で構成されていた。ラッチレバー４３とドアレバー５２は高強度の材料を用いれば薄くでき、現在のスイッチの厚み以下にすることは可能であるが、上記に構成されるスイッチは大量生産される、安価な汎用の小型スイッチが使用されており、形状からみて、スイッチの厚みをこれ以上薄くすることは不可能である。このため従来の発振停止装置の幅は最小でもスイッチ２個分の厚みとスイッチ取付板４１の厚みとスイッチを固定する爪４６の先端部の厚み２カ所分の和となっていた。
【０００４】
【発明が解決しようとする課題】
しかしながら上記従来の構成では、ラッチスイッチとドアスイッチがスイッチ取付板に表裏の関係で装着されているため、発振停止装置の幅は、片側のスイッチの厚みとスイッチを固定する爪の厚みの和の分が余計な幅となって必要となっていた。製品の外形寸法は加熱室の外に構成される発振停止装置の幅により制約を受けるため、スイッチの厚み分とスイッチを固定する爪の厚みの和分の余計な幅は、最終的には製品の外形寸法に影響をおよぼしていた。製品の外形寸法は外装部品の大きさ、梱包材料の大きさ、製品の流通コスト、梱包、家庭にあっては製品を置くスペースにも影響し、消費者には目に見えない形で負担となっていた。
【０００５】
本発明は上記課題を解決するもので、スイッチの配置構成から生じる余計な幅を少なくすることにより、発振停止装置の幅を極力薄くし、最終的には製品の外形寸法を小さくすることができ、外装部品の材料節約、梱包材料の節約、製品の流通コストの低減が図れ、家庭においては省スペースで設置効率の良い高周波加熱装置を提供するものである。
【０００６】
【課題を解決するための手段】
本発明は上記課題を解決するため、スイッチを操作するラッチレバーとドアレバーはスイッチ取付板の回転軸に表裏の関係で軸支するが、ラッチスイッチとショートスイッチ及びドアスイッチはスイッチ取付板の一方の側のみに装着し、ドアレバーのスイッチ操作部はスイッチ取付板の開孔部を貫通して、ドアスイッチを操作する構成とするものである。
【０００７】
【発明の実施の形態】
本発明は、加熱室と、前記加熱室の前面開口部を開閉するドアと、前記ドアに設けられた少なくとも１つ以上の操作ピンと、前記ドア及び前記ドアの操作ピンにより操作される第１のレバーと第２のレバーと、前記第１のレバーのスイッチ操作部を介して操作される第１のスイッチと、前記第２のレバーのスイッチ操作部を介して操作される第２のスイッチと、前記第１のスイッチと、前記第２のスイッチを装着するスイッチ取付部を有するスイッチ取付板とを備え、前記第１のレバーと前記第２のレバーとは前記スイッチ取付板の表裏に設けられた回転軸に軸支し、前記第１のスイッチおよび前記第２のスイッチは前記スイッチ取付板の一方の側のみに装着し、前記スイッチ取付板に設けられた貫通孔を貫通した前記第１のレバーのスイッチ操作部にて前記スイッチ取付板の一方の側のみに装着した前記第１のスイッチが動作される構成とした発振停止装置である。
【０００８】
本発明は上記の構成によって、スイッチの配置構成から生じる余計な幅を少なくできることから、発振停止装置の幅はスイッチ１個分の厚みとスイッチ取付板の厚み分とスイッチを固定する爪１カ所の厚みとドアレバーの厚みの和となる。ここでドアレバーの幅は高強度の材料等を用いれば現在のスイッチの厚みより薄くできるため、スイッチを固定する爪の厚み１個分とスイッチの厚みからドアレバーの厚みを引いた厚み分薄くできる。
【０００９】
【実施例】
（実施例）
以下本発明の実施例を図１、図２、図４を参照して説明する。食品を収納する加熱室１の前板２にはヒンジ３の軸を支点に回動して開閉するドア４を設け、ドア４の開閉の動きを助け、保持するドアアーム５とドア４を前板２に密着させるためのドアバネ６がドアアーム５を介して設けられている。ドア４の表面側には電波の発振を制御する操作部（図示せず）があり、裏面側の右上部には発振停止装置７を動作するための操作ピンａ８と操作ピンｂ９があり、前板２右上部に設けられた開孔部ａ１０と開孔部ｂ１１にそれぞれ貫通して本体内に突出するようにしている。発振停止装置７のスイッチ取付板１２の向かって右側の面図１（ａ）には回転軸ａ１３を支点に回動するラッチレバー１４とラッチレバー１４により動作されるラッチスイッチ１５とショートスイッチ１６、それにドアレバー１７（鎖線）によって動作されるドアスイッチ１８が同一面上にスイッチ取付板１２に形成された複数の爪１９により固定されている。ラッチレバー１４の上部にはドア４の開位置をラッチレバー１４に伝えるための突起部ａ２０があり、下部にはラッチスイッチ１５動作する操作部ａ２１とショートスイッチ１６を動作する操作部ｂ２２がある。ドア４を開いた時ラッチレバー１４を介してラッチスイッチ１５とショートスイッチ１６の動作を解除するように加勢した復帰バネａ２３が設けられている。スイッチ取付板１２の向かって左側の面には回転軸ｂ２４（鎖線）を支点に回動するドアレバー１７があり、このドアレバー１７のドアスイッチ１８を動作する操作部ｃ２５はスイッチ取付板１２の向かって右側の面にあるドアスイッチ１８が動作できるように、スイッチ取付板１２の開孔部２６を貫通して、ドアスイッチ１８を動作できるように構成されている。ドアレバー１７の左部にはドア４の開位置をドアレバー１７に伝えるため突起ｃ２７があり、右部にはドアスイッチ１８を動作するための操作部ｃ２５がある。又ドアレバー１７の突起ｃ２７の前には直径３ｍｍ、長さ１００ｍｍの棒で操作出来ないように構成されたスリット孔である操作ピンガイド２８が前板２の右上部に左右に動くように保持されている。ドア４を開いた時ドアレバー１７を介してドアスイッチ１８の動作を解除するように加勢した復帰バネｂ２９が設けられている。今、ドア４を閉めると、操作ピンａ８は前板２の開孔部ａ１０を貫通して、ラッチレバー１４の突起ａ２０にあたりラッチレバー１４を回転移動させ、ラッチスイッチ１５とショートスイッチ１６をそれぞれ動作させる。同時に操作ピンｂ９は前板２の右上部にある開孔部ｂ１１と操作ピンガイド２８を貫通して、ドアレバー１７突起部ｃ２７にあたりドアレバー１７のを回転させ、ドアスイッチ１８を動作させる。
【００１０】
上記説明のように、ラッチスイッチ１５とドアスイッチ１８を動作するラッチレバー１４とドアレバー１７の軸支部はスイッチ取付板１２の回転軸ａ１３と回転軸ｂ２４に表裏の関係で軸支するが、ラッチスッチ１５とショートスイッチ１６及びドアスイッチ１８はスイッチ取付板１２の一方の側のみに取付けて、しかもドアレバー１７のドアスイッチ１８を動作する操作部ｃ２５はスイッチ取付板１２の向かって右側の面にあるドアスイッチ１８が動作できるように、スイッチ取付板１２の開孔部２６を貫通して、ドアスイッチ１８を動作できるように構成することにより、スイッチの配置構成から生じる余計な幅を少なくできることから、発振停止装置の幅はスイッチ１個分の厚みとスイッチ取付板１２の厚み分とスイッチを固定する爪の厚みとドアレバー１７の厚みの和となる。ここでドアレバー１７の幅は高強度の材料等を用いれば現在のスイッチの厚みより薄くできため、スイッチを固定する爪の厚みとスイッチの厚みから薄くしたドアレバー１７の厚みを引いた厚み分薄くできる。
【００１１】
図４は発振停止回路の概略図を示す。ラッチスイッチ１５とショートスイッチ１６とヒューズ２９を直列になるように接続し、ラッチスイッチ１５が溶着などの異常が生じた時ヒューズ２９を溶断させ、ドア４を開いた状態での高周波の発振を防止している。ドアスイッチ１８は一端を前記直列に接続された回路のヒューズ２９側に接続し、他方は発振装置３０に接続して発振を停止できるように構成している。
【００１２】
本発明は縦開きドアの構成で説明したがドアの形態により制約されることが無いことは言うまでも無い。
【００１３】
【発明の効果】
以上説明したように本発明の構成はスイッチの配置構成から生じるスイッチの厚み分の余計なスペースを少なくできるので、発振停止装置の幅を薄くでき、製品の外形寸法を小さくできる。
【図面の簡単な説明】
【図１】  （ａ）本発明の実施例における安全装置の右側の側面概略図
（ｂ）本発明の実施例における安全装置の正面図
【図２】  同高周波加熱装置の外観斜視図
【図３】  （ａ）従来の発振停止装置の右側面図
（ｂ）従来の発振停止装置の前面図
（ｃ）従来の発振停止装置の左側面図
【図４】  高周波加熱装置の発振停止回路の概略図
【符号の説明】
４  ドア
８、９  操作ピン
１２  スイッチ取付板
１３  回転軸ａ
１４  ラッチレバー
１５  ラッチスイッチ
１６  ショートスイッチ
１７  ドアーレバー
１８  ドアスイッチ
２４  回転軸ｂ
２５  操作部ｃ
２６  開孔部
【図１】
0003663908.tif 000002
【図２】
0003663908.tif 000003
【図３】
0003663908.tif 000004
【図４】
0003663908.tif 000005